(57)【特許請求の範囲】
【請求項１】
本体に設けられ、記録ディスクを回転駆動する駆動部を有する記録及び／又は再生部と、
被ロック部が設けられ、上記本体に回動可能に取り付けられる上蓋部と、
上記記録ディスクを保持し、上記本体に上記上蓋部の回動動作に伴って回動可能に設けられ、上記上蓋部が開蓋される上方側の位置と上記記録ディスクを上記記録及び／又は再生部に装着する位置との間を回動されるホルダと、
上記本体に移動可能に設けられ、イジェクト操作部が操作されることにより、所定の方向にスライドされるイジェクトスライダと、
上記イジェクトスライダに係合し、上記イジェクトスライダがスライドされることで所定の方向に移動されるイジェクト伝達片と、
上記本体に移動可能に設けられ、上記被ロック部と係合することによって上記上蓋部を閉蓋状態に保持し、上記移動されたイジェクト伝達片に当接されて移動し上記被ロック部との係合を解除されて上記上蓋部を開蓋状態にするようにしたロック部材と、
上記上蓋部に設けられ、上記ロック部材が上記被ロック部と係合する位置に移動されたときに上記ロック部材によって操作されるとともに、上記ロック部材と上記被ロック部との係合が解除されたときに上記ロック部材による操作が解除される蓋ロック検出スイッチと、
上記ホルダに上記記録ディスクが保持され、上記記録ディスクを上記記録及び／又は再生部に装着する位置にされたときに操作される装着検出スイッチと、
上記蓋ロック検出スイッチ及び上記装着検出スイッチが接続され、上記蓋ロック検出スイッチが上記ロック部材によって操作されていない状態又は上記装着検出スイッチが操作されていない状態と検出されたときには、上記記録及び／又は再生部の作動開始を禁止し、上記蓋ロック検出スイッチが上記ロック部材によって操作されている状態及び上記装着検出スイッチが操作されている状態と検出されたときには、上記記録及び／又は再生部の作動を開始させる制御回路とを備え、
上記記録及び／又は再生部が記録モード又は再生モードとされたとき、上記イジェクト伝達片の上記ロック部材への当接を解除して上記イジェクト操作部が操作されることによる上記ロック部材の移動が阻止され、上記上蓋部の開蓋動作を行わせないようにする記録ディスクの記録及び／又は再生装置。
【発明の詳細な説明】
【０００１】
【産業上の利用分野】
本発明は、光磁気ディスクや光ディスクの如き記録ディスクに対し情報信号の記録を行い、記録ディスクに記録された情報信号の再生を行う記録ディスクの記録及び／又は再生装置に関する。
【０００２】
【従来の技術】
従来、光磁気ディスク等の光ディスクの如き記録媒体に対し、情報信号の記録を行い、記録媒体に記録された情報信号の再生を行う記録及び／又は再生装置が提案されている。この種の記録及び／又は再生装置に用いられる記録媒体として、光磁気ディスクや光ディスクをカートリッジに収納してディスクカートリッジとして構成したものが用いられている。
【０００３】
光磁気ディスク等の光ディスクを記録媒体に用いる記録及び／又は再生装置は、記録媒体に対して情報信号の記録を行い、あるいは記録媒体に記録された情報信号の再生を行うための記録再生手段として、光学ピックアップ及び磁気ヘッドを備えている。これら光学ピックアップ及び磁気ヘッドは、シャーシ上に配設されて、記録及び／又は再生部を構成している。この記録及び／又は再生装置においては、記録媒体は、記録及び／又は再生部に対する相対位置が所定の位置となされる装着位置に装着される。記録媒体が装着位置に装着されることにより、光学ピックアップ及び磁気ヘッドにより、情報信号の記録若しくは再生が可能とされる。
【０００４】
記録及び／又は再生装置には、記録媒体を装着位置に装着させるための記録媒体装着機構が設けられている。記録媒体装着機構は、ディスクドライブ部に対して移動操作可能に配設され、記録媒体を保持する部材を備えたものがある。すなわち、この記録媒体装着装置は、ディスクカートリッジを保持するように構成されたカートリッジホルダを、シャーシに対して回動可能に取り付けている。ディスクカートリッジは、カートリッジホルダに保持され、カートリッジホルダがシャーシ側に回動されることにより、記録及び／又は再生部に対して所定位置とされる装着位置に装着される。装着位置に装着されたディスクカートリッジは、カートリッジホルダがシャーシより離間する方向に回動させることにより、カートリッジホルダからの取り出しが可能な状態になる。
【０００５】
【発明が解決しようとする課題】
ところで、上述のような記録及び／又は再生装置は、記録媒体に対する情報信号の記録若しくは再生の実行中に、記録媒体の取り出しが行われてしまうと、記録媒体に損傷を与えるおそれがある。
【０００６】
特に、光磁気ディスクに対する情報信号の記録においては、情報信号の書き込みを行った後、書き込まれた情報信号についての目録情報（いわゆるユーザーズトック）の光磁気ディスクへの書き込みが行われる。この目録情報は、光磁気ディスク上の情報信号の記録位置位置を示すアドレス等を表示するものであって、記録された情報信号を読み出すために必要な情報である。対応する目録情報が記録されていない情報信号は、その後に読み出すことができない。したがって、情報信号の書き込み途中に、又は情報信号の書き込みは完了してもこの情報信号に対応する目録情報の書き込みが完了していないときに、記録媒体の取り出しが行われてしまうと、その情報信号の読み出しができなくなってしまう。
【０００７】
光磁気ディスクの如き記録媒体を用いる記録及び／又は再生装置にあっては、記録媒体への情報信号の書き込み、記録媒体に記録された情報信号の読み出し、あるいは目録情報の書き込みが行われる記録再生のモードが選択された状態においては、記録媒体が不用意に記録及び／又は再生部から取り出されないように放置本体内の装着位置にロックしておく必要がある。この種のロック機構としては、情報信号の記録又は再生動作が実行されているか否かを検出し、その検出結果に基づいて、ディスクカートリッジを保持するカートリッジホルダをプランジャ等の電磁的な保持手段により保持する機構が提案されている。
【０００８】
このような電磁的な保持手段を備えた機構は、記録及び／又は再生装置の構成を複雑化し、更には消費電力の増大を招いてしまう。
【０００９】
そこで、本発明は、上述の実情に鑑みて提案されるものであって、構成の複雑化や消費電力の増大を招くことなく、情報信号の記録若しくは再生動作中に記録ディスクの取り出しを確実に防止できるようにした記録ディスクの記録及び／又は再生装置を提供することを目的とする。
【００１０】
【課題を解決するための手段】
上述の課題を解決し上記目的を達成するため、本発明に係る記録ディスクの記録及び／又は再生装置は、本体に設けられ、記録ディスクを回転駆動する駆動部を有する記録及び／又は再生部と、被ロック部が設けられ、上記本体に回動可能に取り付けられる上蓋部と、上記記録ディスクを保持し、上記本体に上記上蓋部の回動動作に伴って回動可能に設けられ、上記上蓋部が開蓋される上方側の位置と上記記録ディスクを上記記録及び／又は再生部に装着する位置との間を回動されるホルダと、上記本体に移動可能に設けられ、イジェクト操作部が操作されることにより、所定の方向にスライドされるイジェクトスライダと、上記イジェクトスライダに係合し、上記イジェクトスライダがスライドされることで所定の方向に移動されるイジェクト伝達片と、上記本体に移動可能に設けられ、上記被ロック部と係合することによって上記上蓋部を閉蓋状態に保持し、上記移動されたイジェクト伝達片に当接されて移動し上記被ロック部との係合を解除されて上記上蓋部を開蓋状態にするようにしたロック部材と、上記上蓋部に設けられ、上記ロック部材が上記被ロック部と係合する位置に移動されたときに上記ロック部材によって操作されるとともに、上記ロック部材と上記被ロック部との係合が解除されたときに上記ロック部材による操作が解除される蓋ロック検出スイッチと、上記ホルダに上記記録ディスクが保持され、上記記録ディスクを上記記録及び／又は再生部に装着する位置にされたときに操作される装着検出スイッチと、上記蓋ロック検出スイッチ及び上記装着検出スイッチが接続され、上記蓋ロック検出スイッチが上記ロック部材によって操作されていない状態又は上記装着検出スイッチが操作されていない状態と検出されたときには、上記記録及び／又は再生部の作動開始を禁止し、上記蓋ロック検出スイッチが上記ロック部材によって操作されている状態及び上記装着検出スイッチが操作されている状態と検出されたときには、上記記録及び／又は再生部の作動を開始させる制御回路とを備え、上記記録及び／又は再生部が記録モード又は再生モードとされたとき、上記イジェクト伝達片の上記ロック部材への当接を解除して上記イジェクト操作部が操作されることによる上記ロック部材の移動が阻止され、上記上蓋部の開蓋動作を行わせないようにする。
【００１３】
【作用】
本発明に係る記録ディスクの記録及び／又は再生装置は、制御回路によって蓋ロック検出スイッチがロック部材によって操作されていない状態又は装着検出スイッチが操作されていない状態と検出されたときには、記録及び／又は再生部の作動開始を禁止し、制御回路によって蓋ロック検出スイッチがロック部材によって操作されている状態及び装着検出スイッチが操作されている状態と検出されたときには、記録及び／又は再生部の作動を開始させる。
【００１４】
【実施例】
以下、本発明の具体的な実施例を図面を参照しながら説明する。
【００１５】
この例は、本発明を情報信号の再記録を可能とする光磁気ディスクに対する情報信号の記録及び再生と、再生専用型の光ディスクに記録された情報信号の再生とを行う記録再生装置に適用したものである。
【００１６】
本発明は、以下、次の順序で説明する。
［１］記録再生装置の全体構成
［２］ディスクカートリッジの構成
［３］筐体の構成
［４］メカシャーシ上の構成（ディスク駆動部の構成）
［５］磁気ヘッドを支持する構成
［６］カートリッジホルダの構成
［７］ディスクカートリッジ排出機構
［８］磁気ヘッドを昇降操作する構成
［９］メカシャーシを支持する構成
［１０］上蓋部の構成
［１１］停止モードにおける状態
［１２］ディスクカートリッジの装着
［１３］再生モードにおける状態
［１４］記録モードにおける状態
［１５］ディスクカートリッジの取り出し操作
【００１７】
［１］記録再生装置の全体構成
本発明に係る記録再生装置を図１及至図８を参照して説明する。本発明に係る記録再生装置は、図８に示すように、メインフレーム１と、このメインフレーム１に対し複数のダンパ部材１４を介していわゆるフローティング支持されるメカシャーシ２とを備える。メインフレーム１には、バッテリーケース８、外カバー５及び下カバー６が固定して取り付けられる。更に、バッテリーケース８には、上カバー７とカバー支持板４とからなる上蓋部が回動可能に取り付けられる。すなわち、本発明に係る記録再生装置は、メインフレーム１、バッテリーケース８、外カバー５及び下カバー６からなる装置本体を構成する筐体に対して、上蓋部が回動可能に取り付けられている。上蓋部は、回動操作されて、図９及び図１２に示すように、筐体の上面側を開閉する。メカシャーシ２の上面部には、カートリッジホルダ３が回動可能に取り付けられている。
【００１８】
上蓋部の上カバー７とカバー支持板４との間には、図示しない電子基板が内蔵されている。この電子基板は、上カバー７の上面部に設けられたキー入力部１５及び表示部１６に接続されている。キー入力部１５は、図１に示すように、再生（プレイ）釦２８、順方向トラックジャンプ釦３１、逆方向トラックジャンプ釦３０、一時停止（ポーズ）釦３２、停止（ストップ）釦２９、及び出力音量（ボリューム）調整釦３３，３４を備える。表示部１６は、液晶表示デバイスの如き平板状に構成された表示デバイスにより構成され、この記録再生装置の動作モードに関連した種々の情報を表示する。キー入力部１５を構成する他の押し釦スイッチ２７は、上カバー７上にスライド可能に取り付けられたスライドカバー２６が、図１中矢印Ａ方向の前方側にスライドされることにより、このスライドカバー２６により覆われる。
【００１９】
筐体にも、図示しない電子基板が収納されている。この電子基板上には、図３６に示すように、記録再生装置の制御回路を構成するＣＰＵ３３８が設けられている。ＣＰＵ３３８には、キー入力部１５が接続されている。このＣＰＵ３３８は、キー入力部１５の操作によって入力される操作モードに応じて、後述するようにメカシャーシ２上に構成される記録及び／又は再生部となるディスク駆動部３３９の動作を制御する。
【００２０】
［２］ディスクカートリッジの構成
本発明に係る記録再生装置には、情報信号の記録媒体として光磁気ディスクが用いられる。この光磁気ディスクは、直径を６４ｍｍとするポリカーボネイトの如き透明合成樹脂材料よりなるディスク基板に、磁性材料からなる信号記録層が被着形成されて構成されている。この信号記録層は、集光されたレーザビームの照射等の手段により局所的にキュリー温度以上に加熱され、この加熱された部分に外部磁界が印加されることにより、情報信号の書き込みが行われる。光磁気ディスクに書き込まれた情報信号は、信号記録層にレーザビームの如き直線偏光光束を照射し、この光束の反射光束の信号記録層におけるいわゆるカー効果による偏光方向の回転を検出することにより読み出される。
【００２１】
本発明に係る記録再生装置には、情報信号の記録媒体と再生専用型の光ディスクが用いられる。この光ディスクは、光磁気ディスクのディスク基板と同様のディスク基板に、アルミニウムの如き金属材料よりなる反射層が被着形成されている。この光ディスクのディスク基板には、射出成形等の手段により、情報信号に対応した微細なピット列が形成されている。この光ディスクに書き込まれている情報信号は、ピット列にレーザビームの如き光束を照射し、この光ディスクに照射された光束の記信号記録層における拡散や干渉による光量の変化を検出することにより読み出される。
【００２２】
本発明に係る記録再生装置に用いられる光磁気ディスク及び光ディスクは、図３８及至図４１に示すように、カートリッジ２０５，２１６に回転可能に収納されて、ディスクカートリッジを構成している。情報信号の記録を可能とする光磁気ディスクを収納するディスクカートリッジ２２０を構成するカートリッジ２０５は、一辺の長さが光磁気ディスクの直径に略々対応した矩形状の薄い筐体として形成されている。このカートリッジ２０５は、図３８に示すように、上面側に光磁気ディスクの信号記録面の一部を外方に臨ませるための磁気ヘッド用開口部２２３を設けている。このカートリッジ２０５は、図４０に示すように、磁気ヘッド用開口部２２３に対向する下面側の位置に光学ピックアップ用開口部２２２を設け、更に下面側の中央部分にチャッキング用開口部２１３を設けている。このディスクカートリッジ２２０は、記録再生装置に対して、図３８及び図４０中矢印Ｅ方向を挿入方向として装着される。
【００２３】
光磁気ディスクを収納したディスクカートリッジ２２０のカートリッジ２０５には、磁気ヘッド用開口部２２３及び光学ピックアップ用開口部２２２を開閉するシャッタ部材２０６が移動可能に取り付けられている。このシャッタ部材２０６は、これら開口部２２３，２２２を閉塞するに足る大きさを有する互いに平行に相対向する一対のシャッタ板と、これらシャッタ板の一端側を連結する連結部とを有し、合成樹脂材料又は金属材料により一体に形成されている。このシャッタ部材２０６は、連結部側をカートリッジ２０５の一側部に形成された支持溝２０７に係合させて摺動可能に支持されている。すなわち、シャッタ部材２０６は、カートリッジ２０５の一側部に沿って後方側にスライドされることにより各開口部２２３，２２２を開放し、後方側より前方にスライドされて初期位置に復帰されると各シャッタ板により各開口部２２３，２２２を閉塞する。
【００２４】
光ディスクを収納して再生専用ディスクカートリッジ２２１を構成する上記カートリッジ２１６は、一辺の長さが光ディスクの直径に略々対応した矩形状の薄い筐体として形成されている。このカートリッジ２１６は、図３９に示すように、上面側は、開口部を有することなく平坦な面とされている。このカートリッジ２１６は、図４１に示すように、下面側に光学ピックアップ用開口部２２２が形成され、更に下面側の中央部分にチャッキング用開口部２１３が設けられている。再生専用型の光ディスクを収納したディスクカートリッジ２２１は、記録再生装置に対して、図３９及び図４１中矢印Ｅ方向を挿入方向として装着される。
【００２５】
再生専用型のディスクカートリッジ２２１のカートリッジ２１６には、光学ピックアップ用開口部２２２を開閉するシャッタ部材２１７が移動可能に取り付けられている。このシャッタ部材２１７は、光学ピックアップ用開口部２２２を閉塞するに足る大きさのシャッタ板と、このシャッタ板の一端側に設けられた支持部とを有して、合成樹脂材料又は金属材料により、一体的に形成されている。シャッタ部材２１７は、支持部側をカートリッジ２１６の一側部に形成された支持溝部２０７に係合させて摺動可能に支持されている。すなわち、シャッタ部材２１７は、カートリッジ２１６の一側部に沿って後方にスライドされることにより光学ピックアップ用開口部２２２を開放し、後方側より前方にスライドされて初期位置に復帰されるとシャッタ板により光学ピックアップ用開口部２２２を閉塞する。
【００２６】
各シャッタ部材２０６，２１７には、連結部又は支持部の中央位置に、側方側に向けて、シャッタ閉蓋孔２０８が開設されている。このシャッタ閉蓋孔２０８は、記録再生装置に設けられた各シャッタ部材２０６，２１７を閉蓋操作するための部材が係合するためのものである。
【００２７】
光磁気ディスク及び光ディスクの中心部には、円形のチャッキング孔２０４が開設されている。チャッキング孔２０４は、上面側より、チャッキングプレート２０２により閉塞されている。チャッキングプレート２０２は、鉄やステンレスの如き磁性を有する金属材料により、チャッキング孔２０４を覆うに足る大きさの円盤状に形成されている。これらチャッキング孔２０４及びチャッキングプレート２０２は、チャッキング用開口部２１３を介して、各カートリッジ２０５，２１６の外方に臨んでいる。
【００２８】
各カートリッジ２０５，２１６の下面側には、図４０及び図４１に示すように、対をなす前方側及び後方側位置決め穴２０９，２１０が形成されている。前方側位置決め穴２０９は、光学ピックアップ用開口部２２２の一方の側であってカートリッジ２０５，２１６の前方側の縁部近傍に位置して長径方向を前後方向として長円形に形成されている。後方側位置決め穴２１０は、光学ピックアップ用開口部２２２の他の側であってカートリッジ２０５，２１６の後方側の縁部近傍に位置して円形に形成されている。
【００２９】
各カートリッジ２０５，２１６の下面側であって後方側の他側縁近傍には、図４０及び図４１に示すように、複数の識別用穴２２４が形成されている。これら識別用穴２２４は、これらカートリッジ２０５，２１６が収納しているディスクの種別や状態、例えば情報信号の記録が可能か否かを識別するためのものである。記録再生型のディスクカートリッジ２２０のカートリッジ２０５内には、識別用穴２２４に対応して、後側面部にセーブノッチ２１４が設けられている。このセーブノッチ２１４は、移動操作されることにより、識別用穴２２４のうちの一の内部を進退し、識別用穴２２４の深さを変えて、情報信号の記録可否の識別状態を切り換える。更に、これら各カートリッジ２０５，２１６の下面側の前方側の側縁には、被係合凹部２１２が形成されている。
【００３０】
光磁気ディスクを収納した記録再生型のディスクカートリッジ２２０のカートリッジ２０５には、下面側の前方側縁部に、光磁気ディスク識別凹部２１１が形成されている。再生専用側のディスクカートリッジ２２１のカートリッジ２１６には、下面側の前方側縁部に、光ディスクディスク識別凹部２１８が形成されている。これら光磁気ディスク識別凹部２１１と光ディスク識別凹部２１８とは、互いに下面よりの深さを異にし、この深さの違いにより、収納されているディスクが情報信号の記録を可能とする記録可能型の光磁気ディスクか再生専用型の光ディスクかを識別可能としている。
【００３１】
［３］筐体の構成
記録再生装置のメインフレーム１は、金属の如き材料により、図２１及び図２２に示すように、装置本体を構成する筐体の周壁部分を構成する枠形状に形成されている。このメインフレーム１の前面部には、図２０及び図２１に示すように、後述するイジェクトスライダ１１６、ロック部材となるロックスライダ１１５及び録音スライダ１８６がスライド可能に取り付けられている。バッテリーケース８は、図４及び図８に示すように、合成樹脂の如き材料により、バッテリー２２５が収納され得る大きさに形成され、メインフレーム１の後側部分にネジ止めされている。バッテリーケース８は、一方の側面に開閉可能な蓋部２５が設けられ、この蓋部２５を開くことにより、バッテリー２２５の挿入及び取り出しが可能となる。バッテリー２２５は、例えばリチウムイオン電池、リチウム水素電池やニッケル−カドミウム（Ｎｉ−Ｃｄ）電池の如き充電式の二次電池をカバーに収納して構成され、外面に正負の電極端子が設けられている。バッテリーケース８の内部には、バッテリー２２５の各電極端子に接触する電源端子が配設されている。
【００３２】
外カバー５は、合成樹脂の如き材料により、図２３及び図２４に示すように、枠状に形成され、メインフレーム１の外周面部を覆ってこのメインフレーム１に取り付けられている。外カバー５の前面部には、イジェクトスライダ１１６の一端側に設けられた係合突片１７５に係合するイジェクトノブ１７及び録音スライダ１８６の他端側に設けられた当接突片３４１に当接係合する録音ノブ１８が、それぞれスライド可能に取り付けられている。イジェクトノブ１７は、スライド操作されることにより、イジェクトスライダ１１６をスライドさせる。録音ノブ１８は、スライド操作されることにより、録音スライダ１８６をスライドさせる。この録音ノブ１８は、キー入力部１５の一部をなすものであり、ＣＰＵ３３８に接続された図示しない録音開始スイッチを、録音スライダ１８６を介して押圧操作する。下カバー６は、金属の如き材料により、図７に示すように、ほぼ平板状に形成されており、メインフレーム１の下側部に対してネジ止めされ、装置本体を構成する筐体の下面部を構成する。
【００３３】
筐体の外周面には、図１及び図４に示すように、情報信号の出入力を行うための接続ジャック部３６，３７，３８，３９，４０が設けられている。これら接続ジャック部３６，３７，３８，３９，４０は、筐体内の電子基板上に構成された電子回路に接続されている。
【００３４】
［４］メカシャーシ上の構成（ディスク駆動部の構成）
メカシャーシ２は、図１５及至図１７に示すように、金属の如き材料により平板状に形成されている。このメカシャーシ２上には、ディスク駆動部３３９が構成されている。すなわち、メカシャーシ２の中央部の下面部には、図１２に示すように、スピンドルモータ８９が、駆動軸を上方側に向けて取り付けられている。スピンドルモータ８９は、駆動軸を、メカシャーシ２の中央部に設けられた透孔を介して、メカシャーシ２の上方側に突出させている。このスピンドルモータ８９の駆動軸には、ディスクテーブル１１が取り付けられている。ディスクテーブル１１は、合成樹脂の如き材料により円盤状に形成され、上面部に、光磁気ディスク又は光ディスクのチャッキング孔２０４に係合する円錐台状の突起部が設けられている。このディスクテーブル１１は、突起部の上端側部分に、チャッキングプレート２０２を吸引するためのマグネットが設けられている。ディスクテーブル１１は、光磁気ディスク又は光ディスクの中心部分が載置されると、チャッキング孔２０４に突起部を係合させるとともに、マグネットによりチャッキングプレート２０２を吸引し、光磁気ディスク又は光ディスクを位置決めして保持する。このとき、光磁気ディスク又は光ディスクは、チャッキング孔２０４の中心とスピンドルモータ８９の駆動軸の中心とが一致するセンタリングが図られる。この状態でスピンドルモータ８９が駆動することにより、光磁気ディスク又は光ディスクはディスクテーブル１１と一体に回転操作される。
【００３５】
メカシャーシ２には、図８に示すように、光学ピックアップ１０が取り付けられている。光学ピックアップ１０は、光学ブロック部を有し、この光学ブロック部内に、光源となるレーザダイオード、フォトトランジスタの如き受光素子、レーザダイオードより発する光束を導く種々の光学デバイスを内蔵し、レーザダイオードから出射された光束をディスクテーブル１１に装着された光磁気ディスク又は光ディスクに集光して照射する対物レンズ１３０を備えている。この光学ピックアップ１０は、レーザダイオードより出射される光束を光学デバイス及び対物レンズ１３０を介して光磁気ディスク又は光ディスクの信号記録層に集光して照射する。光学ピックアップ１０は、光磁気ディスク又は光ディスクに照射された光束の反射光束を、対物レンズ１３０及び光学デバイスを介して、受光素子により検出する。この光学ピックアップ１０は、光磁気ディスク又は光ディスクに照射されこれらディスクから反射された反射光束の光量及び偏光方向の回転角を検出する。
【００３６】
光学ピックアップ１０は、図１５に示すように、スピンドルモード８９の一側に位置され、メカシャーシ２の下面部に互いに平行に取り付けられた一対のガイド軸１２２，１２３に支持され、スピンドルモータ８９に近接離間する方向に移動可能に取り付けられている。この光学ピックアップ１０は、メカシャーシ２の下面側に位置し、このメカシャーシ２に設けられた透孔を介して、対物レンズ１３０をメカシャーシ２の上方側に臨ませている。対物レンズ１３０は、ディスクテーブル１１に保持された光磁気ディスク又は光ディスクの信号記録面に対向される。すなわち、光学ピックアップ１０は、ディスクテーブル１１に保持されて回転される光磁気ディスクに対する情報信号の書き込みのための光束の照射を行うとともに、光磁気ディスク又は光ディスクからの反射光束を検出して情報信号の読み出しを行う。
【００３７】
光学ピックアップ１０は、メカシャーシ２の下面部に取り付けられたピックアップ送りモータ１２４により、各ガイド軸１２２，１２３に沿って送り操作される。ピックアップ送りモータ１２４の駆動軸には、駆動ギヤ１２５が取り付けられている。駆動ギヤ１２５は、メカシャーシ２の下面部において回転可能に支持された減速伝達ギヤ１２６に噛合し、この減速伝達ギヤ１２６を回転させる。減速伝達ギヤ１２６は、メカシャーシ２の下面側に各ガイド軸１２２，１２３に平行となされて回転可能に取り付けられたスクリューシャフト１２１の一端側に取り付けられた従動ギヤ１２７に噛合し、この従動ギヤ１２７を介してスクリューシャフト１２１を回転させる。スクリューシャフト１２１は、外周面にスクリューネジが形成され、このスクリューネジを光学ピックアップ１０の光学ブロック部に噛合させている。すなわち、ピックアップ送りモータ１２４が駆動すると、スクリューシャフト１２１が回転操作されて、光学ピックアップ１０は、各ガイド軸１２２，１２３に沿って移動操作される。
【００３８】
なお、スピンドルモータ８９の近傍には、光学ピックアップ１０が移動可能範囲内で最も該スピンドルモータ８９に接近された位置になったとき、すなわち、光学ピックアップ１０が光磁気ディスク又は光ディスクの最内周位置に移動されたとき、この光学ピックアップ１０の光学ブロック部に押圧操作される内周検出スイッチ１２８が取り付けられている。
【００３９】
メカシャーシ２の上面部には、前縁部近傍及び後縁部近傍の一側部分に、対をなす前方側及び後方側位置決めピン７０，３４２が植設されている。前方側位置決めピン７０は、図２０に示すように、先端側が縮径されて円錐形状となされたピンである。後方側位置決めピン３４２は、円錐台形状のピンである。これら各位置決めピン７０，３４２は、ディスクカートリッジ２２０又はディスクカートリッジ２２１がメカシャーシ２上に載置されたとき、各位置決め穴２０９，２１０に係合し、各カートリッジ２０５，２１６のメカシャーシ２に対する装着位置の位置決めを行う。このメカシャーシ２の前縁部近傍の他方の側部には、図１２及び図２０に示すように、高さ位置決め凸部７１が形成されている。この高さ位置決め凸部７１は、メカシャーシ２の一部を上方側に膨出することにより形成されている。高さ位置決め凸部７１は、メカシャーシ２上に載置された各ディスクカートリッジ２２０，２２１の各カートリッジ２０５，２１６の下面に当接し、これらカートリッジ２０５，２１６の高さ方向の位置決めを行う。高さ位置決め凸部７１は、上面部に透孔が設けられている。この高さ位置決め凸部７１の下方側には、カートリッジ装着検出スイッチ７２が配設されている。カートリッジ装着検出スイッチ７２は、押圧子７３を、高さ位置決め凸部７１の透孔を介して、高さ位置決め凸部７１の上面部よりも上方側に突出させている。すなわち、カートリッジ装着検出スイッチ７２は、高さ位置決め凸部７１の上面部に各カートリッジ２０５，２１６の下面が当接されると、この下面により押圧子７３が押圧され、各ディスクカートリッジ２２０，２２１のいずれかが装着されたことを検出する。メカシャーシ２のカートリッジ装着検出スイッチ７２の近傍には、複数の識別用穴２２４を検出するための複数の識別スイッチ１０７，１０８が取り付けられている。これら識別スイッチ１０７，１０８は、対応する識別用穴２２４が浅い場合に押圧操作され、該識別用穴２２４が深い場合には押圧されない。
【００４０】
本発明に係る記録再生装置を構成するメカシャーシ２は、各ディスクカートリッジ２２０，２２１が載置されると、各カートリッジ２０５，２１６が各位置決めピン７０，３４２及び高さ位置決め凸部７１によって位置決めされるとともに、光磁気ディスク又は光ディスクがディスクテーブル１１上に位置決めされて保持、すなわち、チャッキングされる。このとき、光磁気ディスク及び光ディスクは、各カートリッジ２０５，２１６内において、このカートリッジ２０５，２１６の内壁部に摺接することなく回転可能となる。このとき、カートリッジ装着検出スイッチ７２によりディスクカートリッジ２２０，２２１の装着が検出されるとともに、各識別スイッチ１０７，１０８により各識別用穴２２４の状態が識別される。カートリッジ装着検出スイッチ７２は、図３６に示すように、スイッチ（Ａ）として、ＣＰＵ３３８に接続されている。
【００４１】
［５］磁気ヘッドを支持する構成
光学ピックアップ１０には、図１２及至図１４及び図１８、図１９に示すように、連結アーム１２、磁気ヘッド支持板１３２及び磁気ヘッド支持アーム７７を介して、ヘッド装置を構成する磁気ヘッド１３が取り付けられている。
【００４２】
すなわち、連結アーム１２は、ほぼＬ字型に屈曲され、図１３及び図１４に示すように、一端側を止めネジ１１９，１１９によって光学ピックアップ１０の光学ブロック部に取り付けられ、他端側を光学ブロックの後方側において上方側に向けている。この連結アーム１２の他端側部分は、メカシャーシ２の後側縁よりも更に後方側に位置し、メカシャーシ２に当接することなく、光学ピックアップ１０とともに移動操作される。連結アーム１２の他端部は、メカシャーシ２の上面部よりも上方側に突出されている。連結アーム１２の他端部、すなわち、上端部の近傍には、図１８及び図１９に示すように、支軸７４を介して、磁気ヘッド支持板１３２の後側縁部が回動可能に取り付けられている。この磁気ヘッド支持板１３２は、前側縁部を前方側に向け、この前端側部を上下方向、すなわち、メカシャーシ２に対する接離方向に回動可能としている。この磁気ヘッド支持板１３２には、位置決め突片８７が側方に向かって突設されている。一方、連結アーム１２の他端部近傍からは、前方側に向けて位置決めアーム７５が突設されている。位置決め突片８７は、位置決めアーム７５の上方側に位置しており、この位置決めアーム７５の先端部近傍に当接したときに下方側への移動が規制されて位置決めされる。磁気ヘッド支持板１３２には、磁気ヘッド支持アーム７７の基端側が取り付けられている。この磁気ヘッド支持アーム７７は、先端側を前方に向けて支持されており、先端部近傍が側方に向かって屈曲されている。磁気ヘッド支持板１３２には、ジンバルバネ７９の基端側が取り付けられている。ジンバルバネ７９の先端側には、磁気ヘッド１３が取り付けられるとともに、このジンバルバネ７９の一部が屈曲形成されて吊り下げ部１１７が形成されている。吊り下げ部１１７は、磁気ヘッド支持アーム７７の先端部近傍の屈曲部に係合して吊り下げられている。
【００４３】
このようにして支持された磁気ヘッド１３は、光学ピックアップ１０の対物レンズ１３０の上方側に位置し、対物レンズ１３０に対向されている。この磁気ヘッド１３は、磁気ヘッド支持板１３２が連結アーム１２に対して回動されることにより、メカシャーシ２に接離する上下方向に移動可能であるとともに、位置決め突片８７及び位置決めアーム７５の当接によって下方の位置決めがされる。支軸７４の一端側には、捻りコイルバネ７６が巻装されている。この捻りコイルバネ７６は、コイル部を位置決めアーム７５の基端側部分と磁気ヘッド支持板１３２との間に介在させるとともに各アーム部を位置決めアーム７５及び磁気ヘッド支持板１３２に係止させ、この磁気ヘッド支持板１３２を連結アーム１２に対して他端側方向に押圧し、磁気ヘッド支持板１３２の側方の位置決めを行うとともに、磁気ヘッド支持板１３２を連結アーム１２に対して磁気ヘッド１３が下方側に向かう方向に回動付勢している。なお、磁気ヘッド１３に対する給電は、磁気ヘッド１３及び磁気ヘッド支持アーム７７の基端側間に貼付されたフレキシブル基板１３３を介して行われる。
【００４４】
［６］カートリッジホルダの構成
メカシャーシ２の上面部には、カートリッジホルダ３が配設されている。カートリッジホルダ３は、図１２及至図１４及び図１８、図１９に示すように、各ディスクカートリッジ２０，２２１が前方側より挿入され、挿入されたディスクカートリッジ２２０，２２１を保持し得るように、天板と、この天板の両側縁部より下方側に垂下された左右側壁１４９，１５０と、これら各側壁の下端部より内方側に屈曲された支持片１５１，１５２とを有している。カートリッジホルダ３は、金属板材料を屈曲形成して一体的に形成されている。このカートリッジホルダ３において、各ディスクカートリッジ２２０，２２１は、前方側より、天板の下方側の各側壁１４９，１５０間に挿入され、各支持片１５１，１５２により下面の両側が支持されて保持される。このとき、ディスクカートリッジ２２０，２２１は、下面のほぼ全面を下方側に臨ませており、チャッキング用開口部２１３、光学ピックアップ用開口部２２２、各位置決め穴２０９，２１０及び識別用穴２２４をカートリッジホルダ３の下方側に臨ませている。
【００４５】
このカートリッジホルダ３の一方側の側壁１５０の中途部には、このカートリッジホルダ３の内方側に向けて、シャッタ開放片１３６が突設されている。シャッタ開放片１３６は、カートリッジホルダ３にディスクカートリッジ２２０，２２１が挿入されたとき、シャッタ部材２０６，２１７の連結部又は支持部の前端部に当接し、ディスクカートリッジ２２０，２２１がカートリッジホルダ３内に収納されたとき、シャッタ部材２０６，２１７を開放状態となす。また、一方の側壁１５０の前方側部分には、このカートリッジホルダ３の内方側に向けて膨出するようにして、シャッタ閉蓋バネ１３５が配設されている。シャッタ閉蓋バネ１３５は、カートリッジホルダ３にディスクカートリッジ２２０，２２１が挿入されたとき、シャッタ部材２０６，２１７のシャッタ閉蓋孔２０８に係合し、ディスクカートリッジ２２０，２２１がカートリッジホルダ３より抜き出されるとき、シャッタ部材２０６，２１７を閉塞位置に位置させる。
【００４６】
カートリッジホルダ３の天板には、後方側部分の両側に、一対の抑えバネ１３４，１３７が取り付けられている。これら抑えバネ１３４，１３７は、基端側を天板の上面部に固定され、先端側を後方側に向けている。これら抑えバネ１３４，１３７の先端側部分は、天板の後縁側の両側に設けられた透孔１３８，１３９を介して、天板の下方、すなわち、カートリッジホルダ３の内方側に進入している。これら抑えバネ１３４，１３７は、カートリッジホルダ３内にディスクカートリッジ２２０，２２１が挿入されると、これらディスクカートリッジ２２０，２２１のカートリッジ２０５，２１６の上面の後縁側部分を押圧支持する。
【００４７】
カートリッジホルダ３は、後方側の両側に、軸方向をこのカートリッジホルダ３の後縁部に平行とした左右一対の支軸８６，８６が設けられている。これら支軸８６，８６は、図８に示すように、メカシャーシ２の後縁部近傍に取り付けられた左右一対の軸受け部材８９，９０に挿通され、カートリッジホルダ３を支軸８６，８６の軸回りに回動可能に支持している。このカートリッジホルダ３は、図１２に示すように、上方側に回動されてメカシャーシ２より離間された状態において、ディスクカートリッジ２２０，２２１を挿入されてこのディスクカートリッジ２２０，２２１を保持した後、図１３に示すように、下方側に回動されて上記メカシャーシ２上に載置されると、保持しているディスクカートリッジ２２０，２２１を、メカシャーシ２上の所定位置に装着させる。このようにメカシャーシ２上に装着されたディスクカートリッジ２２０，２２１は、各抑えバネ１３４，１３７によりメカシャーシ２側に押圧支持される。
【００４８】
磁気ヘッド支持板１３２及び磁気ヘッド支持アーム７７は、カートリッジホルダ３の上方側に位置している。カートリッジホルダ３の天板には、磁気ヘッド支持アーム７７及びジンバルバネ７９の光学ピックアップ１０の移動に伴う移動可能領域に対応して、開口部１４０が形成されている。すなわち、磁気ヘッド１３は、開口部１４０を介して、カートリッジホルダ３内に保持されたディスクカートリッジ２２０，２２１の上面側に臨んでいる。
【００４９】
カートリッジホルダ３の一側面部、すなわち、一方の側壁部１５０の外側面部には、図２８及至図３０に示すように、第１のクリックストップリンク２４の基端側が支軸３１８を介して回動可能に取り付けられている。第１のクリックストップリンク２４の先端側は、前方側に向けられており、メカシャーシ２の上面部の一側縁近傍にスライド可能に取り付けられたクリックストップスライダ２３に回動可能に取り付けられている。すなわち、クリックストップスライダ２４は、長手方向を前後方向となし、長手方向に沿って形成された長穴３２３にメカシャーシ２上に植設された支持ピン３２２を挿通させ、前後方向にスライド可能となされている。このクリックストップスライダ２３は、上方側に向けて屈曲形成された支持片３２０を有している。第１のクリックストップリンク２４の先端側は、支持片３２０に支軸３２８を介して取り付けられている。そして、第１のクリックストップリンク２４の支軸３２８よりも更に先端側には、クリックストップ突起３１９が突設されている。一方、支持片３２０には、クリックストップ溝３２１が形成されている。
【００５０】
カートリッジホルダ３が、図２９中矢印クで示すように、上方側に回動されると、クリックストップスライダ２３は、第１のクリックストップリンク２４を介して、図２９中矢印サで示す方向の後方側にスライド操作される。すると、クリックストップ突起３１９は、図２９中矢印ケで示すように、支持片３２０の上方側よりこの支持片３２０の側方側に第１のクリックストップリンク２４の先端側を弾性変形させつつ移動し、カートリッジホルダ３が所定角度まで回動されたとき、クリックストップ溝３２１に係合する。このとき、カートリッジホルダ３は、メカシャーシ２より離間された位置において保持される。カートリッジホルダ３が、図２９中矢印コで示す方向のメカシャーシ２側に回動されるときには、クリックストップ突起３１９がクリックストップ溝３２１より外れ、クリックストップスライダ２３は、図２９中矢印シで示す方向の前方側にスライドされて初期位置に復帰する。
［７］ディスクカートリッジ排出機構
メカシャーシ２の上面側には、後方側に位置して、カートリッジホルダ３に保持されていたディスクカートリッジ２２０，２２１を前方側に排出するためのディスクカートリッジ排出機構が設けられている。このディスクカートリッジ排出機構は、図２８に示すように、基端側を上記メカシャーシ２の後縁部近傍に回動可能に取り付けられたカートリッジ排出レバー３０２と、このカートリッジ排出レバー３０２を後方側位置にロックさせる排出レバーロックスライダ３０９とを備えている。
【００５１】
カートリッジ排出レバー３０２は、基端側をメカシャーシ２の後縁部近傍に形成された透孔３０４を介してメカシャーシ２の下方側に進入させ、このメカシャーシ２の下面部に対して、基端側を支軸３０３を介して回動可能に支持されている。このカートリッジ排出レバー３０２の中途部の下側縁部には、係合突片３０７が下方側に向けて突設されている。係合突片３０７は、メカシャーシ２に形成された円弧状のスリット３０８に進入している。このカートリッジ排出レバー３０２は、スリット３０８によって回動可能な範囲が規定されており、先端側を斜め前方に向ける位置より、先端側を側方に向けてメカシャーシ２の後縁部に沿わされる位置に亘って回動可能とされている。カートリッジ排出レバー３０２の基端側部分に設けられたバネ係止片３０５とメカシャーシ２の下面部に設けられたバネ係止突起３０６との間には、引っ張りコイルバネ１２９が張架されている。引っ張りコイルバネ１２９は、カートリッジ排出レバー３０２を、図２８中矢印イで示す方向の先端側を前方側に移動させる方向に回動付勢している。
【００５２】
排出レバーロックスライダ３０９は、メカシャーシ２の上面部に植設された支持ピン３１０，３１１により、側方にスライド可能に支持されている。この排出レバーロックスライダ３０９は、一端側を、クリックストップスライダ２３に取り付けられこのクリックストップスライダ２３の後方側に延在されたロックリリースバネ３２４の後端部に臨ませ、他端側を、係合突片３０７が進入したスリット３０８の後端側部分に臨ませている。この排出レバーロックスライダ３０９の一端側には、上方側に向けて、ロックリリースピン３１７が植設されている。ロックリリースバネ３２４は、後端側が上方側に向けて弾性変位可能であるとともに、後端部近傍を排出レバーロックスライダ３０９の上面に位置させている。ロックリリースバネ３２４は、後端部が一側方向に向けて傾斜されたテーパ部３２５となされており、後端側部分に、一側に向けて開放された切り欠き部３２６とこの切り欠き部３２６の後縁部に設けられた傾斜縁部３２７とを有している。この排出レバーロックスライダ３０９の他端部は、係合突片３０７に向けて傾斜されたテーパ部３１６となされている。排出レバーロックスライダ３０９は、中途部に有するバネ係止片３１２とメカシャーシ２に設けられたバネ係止突起３１３との間に張架された引っ張りコイルバネ３１５により、図２８中矢印ウで示す方向の他端側方向、すなわち、スリット３０８の側に付勢されている。
【００５３】
このカートリッジ排出機構は、図２８に示すように、カートリッジホルダ３がメカシャーシ２側に位置している初期状態にあっては、カートリッジ排出レバー３０２が前方側に位置しており、ロックリリースバネ３２４もクリックストップスライダ２３とともに前方側に位置している。そして、カートリッジホルダ３が、図２８中矢印アで示す方向の上方側に回動されると、ロックリリースバネ３２４が、図２８中矢印カで示す方向の後方側に移動する。このとき、ロックリリースバネ３２４は、テーパ部３２５によってロックリリースピン３１７を一側方向に押圧し、排出レバーロックスライダ３０９を、引っ張りコイルバネ３１５の付勢力に抗して一側方向にスライドさせる。そして、カートリッジホルダ３が所定角度まで回動されると、ロックリリースバネ３２４は、切り欠き部３２６をロックリリースピン３１７に対応させる位置まで移動される。すると、排出レバーロックスライダ３０９は、ロックリリースピン３１７を切り欠き部３２６内に側方より進入させるので、初期位置に復帰する。すなわち、カートリッジホルダ３が上方側に回動されると、排出レバーロックスライダ３０９は、図２８中矢印エで示すように、カートリッジホルダ３の回動中において一旦は一側方向にスライドされた後、カートリッジホルダ３の回動が完了したときに初期位置に復帰する。
【００５４】
そして、カートリッジホルダ３にディスクカートリッジ２２０，２２１が挿入されると、このディスクカートリッジ２２０，２２１は、カートリッジ２０５，２１６の前端面部により、カートリッジ排出レバー３０２の先端側を押圧し、図２８中矢印オで示すように、このカートリッジ排出レバー３０２を引っ張りコイルバネ１２９の付勢力に抗して回動させる。カートリッジ排出レバー３０２は、後方側に回動されると、係合突起３０７により排出レバーロックスライダ３０９の他端部であるテーパ部３１６を押圧し、この排出レバーロックスライダ３０９を一端側方向にスライドさせる。排出レバーロックスライダ３０９は、図２８中矢印エで示すように、一旦は一端側方向にスライドされるが、ディスクカートリッジ２２０，２２１のカートリッジホルダ３への挿入が完了してカートリッジ排出レバー３０２が後方側位置に至ると、係合突起３０７が搬出レバーロックスライダ３０９の他端部よりも後方側に至るため、引っ張りコイルバネ３１５の付勢力により初期位置に復帰する。このとき、カートリッジ排出レバー３０２は、後方側位置にてロックされている。
【００５５】
カートリッジホルダ３をメカシャーシ２側に回動させるときには、図３０に示すように、ロックリリースバネ３２４は、傾斜縁部３２７をロックリリースピン３１７の上端部に摺接させて、上方側に弾性変形されつつ、前方側に移動される。このとき、排出レバーロックスライダ３０９がスライドされることはない。このとき、カートリッジホルダ３がディスクカートリッジ２２０，２２１を保持している場合には、このディスクカートリッジ２２０，２２１は、カートリッジホルダ３内に保持されたまま、メカシャーシ２側に移動される。
【００５６】
そして、ディスクカートリッジ２２０，２２１を保持したカートリッジホルダ３をメカシャーシ２より離間させて上方側に回動させるときには、上述のように、排出レバーロックスライダ３０９が、このカートリッジホルダ３の回動中において一旦図２８中矢印エ方向の一端側方向にスライドされる。このように排出レバーロックスライダ３０９が一端側にスライドされたときには、カートリッジ排出レバー３０２に対するロックが解除され、カートリッジ排出レバー３０２は、引っ張りコイルバネ１２９の付勢力により、図２８中矢印イで示す方向の前方側に回動されて、ディスクカートリッジ２２０，２２１をカートリッジホルダ３の前方側に排出する。
【００５７】
［８］磁気ヘッドを昇降操作する構成
本発明に係る記録再生装置においては、カートリッジホルダ３の上面部に配設された磁気ヘッド昇降板２０及び伝達スライダ１９と、メカシャーシ２の下面部に配設され伝達スライダ１９をスライド操作するための磁気ヘッド昇降スライダ９４によって、磁気ヘッド１３の昇降操作が行われる。
【００５８】
磁気ヘッド昇降板２０は、図１２及至図１４及び図１８、図１９に示すように、開口部１４０の後方側部分を閉塞するようにして、磁気ヘッド支持アーム７７及びジンバルバネ７９の下方側に位置して配設されている。この磁気ヘッド昇降板２０は、後縁側部分を支軸７８を介してカートリッジホルダ３の天板に対して回動可能に支持され、前縁側部分を上下方向に移動可能としている。この磁気ヘッド昇降板２０は、上方側に回動されたときには、図１２及び図１３に示すように、ジンバルバネ７９を磁気ヘッド支持アーム７７の側に押し上げるとともに、ジンバルバネ７９及び磁気ヘッド支持アーム７７を支軸７４回りに回動させて上方側に押し上げる。そして、磁気ヘッド昇降板２０は、下方側に回動されたときには、前縁側部分の一部をカートリッジホルダ３の天板に当接させて天板にほぼ面一な状態とされて位置決めされる。このとき、磁気ヘッド支持アーム７７は、位置決め突片８７が位置決めアーム７５に当接する位置まで下方側に回動される。また、ジンバルバネ７９は、吊り下げ部１１７が磁気ヘッド支持アーム７７の先端側の屈曲部に吊り下がる位置まで、磁気ヘッド支持アーム７７よりも下方側に降下する。したがって、磁気ヘッド１３の下面部より磁気ヘッド支持アーム７７の上面部までの距離は、磁気ヘッド昇降板２０が上方側に回動されているときには、図１３中矢印Ｌで示すように、図１４中矢印Ｍで示す磁気ヘッド昇降板２０が下方側に回動されたときの記磁気ヘッド１３の下面部より磁気ヘッド支持アーム７７の上面部までの距離よりも短い。
【００５９】
磁気ヘッド昇降板２０は、基端側をカートリッジホルダ３の上面部に取り付けピン１４２により取り付けられた板バネ１４１の先端側部分によって、下方に向かって回動付勢されている。すなわち、板バネ１４１は、先端側部分を磁気ヘッド昇降板２０上に載置させている。
【００６０】
伝達スライダ１９は、カートリッジホルダ３の上面部の他側部分に、前後方向にスライド可能に取り付けられている。この伝達スライダ１９は、図１８に示すように、両側に互いに平行な支持溝１４６，１４７を有し、これら支持溝１４６，１４７にカートリッジホルダ３の上面部に突設した支持ピン１４３，１４４を挿通させている。この伝達スライダ１９は、一側部分、すなわち、カートリッジホルダ３のほぼ中央部に位置し磁気ヘッド昇降板２０の他側部分に臨む部分に、押し上げ突片８０が設けられている。押し上げ突片８０の前端部は、上方側に傾斜されたテーパ部８１となされている。そして、磁気ヘッド昇降板２０の他側部分の下面部には、押し上げ突片８０に対応して傾斜面部８２が形成されている。傾斜面部８２は、磁気ヘッド昇降板２０の一部が上方側に屈曲されることにより、後方側に傾斜されたテーパ部として形成されている。
【００６１】
伝達スライダ１９は、後方側より前方側にスライドされると、テーパ部８１を磁気ヘッド昇降板２０の傾斜面部８２に摺接させつつ、押し上げ突片８０を磁気ヘッド昇降板２０とカートリッジホルダ３の上面部との間に進入させる。すると、磁気ヘッド昇降板２０は、板バネ１４１の付勢力に抗して上方側に回動される。伝達スライダ１９は、前方側より後方側にスライドされると、テーパ部８１を磁気ヘッド昇降板２０の傾斜面部８２に摺接させつつ、押し上げ突片８０を磁気ヘッド昇降板２０とカートリッジホルダ３の上面部との間より後方側に退出させる。すると、磁気ヘッド昇降板２０は、板バネ１４１の付勢力により、下方側に回動されて初期位置に復帰する。この伝達スライダ１９は、図１２及至図１４に示すように、他側部分に、メカシャーシ２側に垂下された連係アーム部８３を有している。連係アーム部８３は、メカシャーシ２の他側縁部近傍に設けられた透孔８４を介して、メカシャーシ２の下方側に突出されている。
【００６２】
磁気ヘッド昇降スライダ９４は、図１５及至図１７に示すように、メカシャーシ２の下面側の他側部分に、前後方向にスライド可能に取り付けられている。この磁気ヘッド昇降スライダ９４は、互いに平行な支持溝９８，９９を有し、これら支持溝９８，９９にメカシャーシ２の下面部に突設された支持ピン９６，９７を対応させて挿通させている。この磁気ヘッド昇降スライダ９４は、ＣＰＵ３３８により制御される移動操作手段を構成するステッピングモータ８５により、この記録再生装置の動作モードに応じて、前後方向に移動操作される。すなわち、ステッピングモータ８５は、メカシャーシ２の下面部の後方側部分に取り付けられている。このステッピングモータ８５の駆動軸には、駆動ギヤ９１が取り付けられている。駆動ギヤ９１は、メカシャーシ２の下面部に回転可能に支持された第１の伝達ギヤ９２に噛合している。第１の伝達ギヤ９２は、ウォームギヤ部を有しており、ウォームギヤ部をメカシャーシ２の下面部に回転可能に取り付けられた第２の伝達ギヤ９３のウォームホイール部に噛合させている。この第２の伝達ギヤ９３は、ピニオンギヤ部を有しており、このピニオンギヤ部を、磁気ヘッド昇降スライダ９４に設けられたラックギヤ部１３１に噛合させている。磁気ヘッド昇降スライダ９４は、ステッピングモータ８５の駆動力により、前後方向に移動操作される。ステッピングモータ８５は、ＣＰＵ３３８より駆動パルスが供給されることにより駆動され、供給されたパルスの数に応じた回転角度だけ回転駆動する。
【００６３】
磁気ヘッド昇降スライダ９４の後端側には、透孔８４に対応する位置に、係合孔１１４が設けられている。この係合孔１１４には、透孔８４を介して、伝達スライダ１９の連係アーム部８３が挿通係合されている。すなわち、磁気ヘッド昇降スライダ９４が前後方向にスライドされると、伝達スライダ１９がカートリッジホルダ３上を前後方向にスライドされ、磁気ヘッド昇降板２０が回動されるので、磁気ヘッド１３は、上下方向に昇降操作される。なお、連係アーム部８３は、カートリッジホルダ３の支軸８６を中心とするほぼ円弧状に形成されており、カートリッジホルダ３が支軸８６を中心に回動されても、常に、係合孔１１４に挿通係合されている。
【００６４】
磁気ヘッド昇降スライダ９４の中途部には、前方側に向けられた平坦状の当接部１１０が設けられている。メカシャーシ２の下面部には、この当接部１１０に対応する位置に、スライダ初期位置検出スイッチ１０９が配設されている。このスライダ初期位置検出スイッチ１０９は、磁気ヘッド昇降スライダ９４が前方にスライドされた初期位置にあるとき、当接部１１０に押圧操作されて、磁気ヘッド昇降スライダ９４が初期位置にあることを示す検出信号をＣＰＵ３３８に送る。ＣＰＵ３３８は、磁気ヘッド昇降スライダ９４が初期位置にあるときを初期状態として、ステッピングモータ８５に供給したパルス数を０にリセットする。磁気ヘッド昇降スライダ９４が初期位置にあるときには、伝達スライダ１９が前方位置に移動されているので、図１３に示すように、磁気ヘッド１３は上方側位置に保持されている。なお、磁気ヘッド昇降スライダ９４の位置は、スライダ初期位置検出スイッチ１０９が検出信号を出力した後、すなわち、ＣＰＵ３３８がステッピングモータ８５に供給したパルス数をリセットした後に、ステッピングモータ８５に供給したパルス数をカウントすることにより求めることができる。
【００６５】
磁気ヘッド昇降スライダ９４の他側縁部には、係止突起１１１が側方に向かって突設されている。この係止突起１１１は、メカシャーシ２の他側側の側縁部近傍に形成された透孔１１２を介して上方側に臨んでいる。そして、カートリッジホルダ３の他方側の側壁部１４９の下縁位置には、被係止爪８８が突設されている。この被係止爪８８は、下方側に向けて突設された爪の下端側部分が内方側に屈曲された鈎状に形成されており、カートリッジホルダ３が下方側に回動されてメカシャーシ２上に載置されたとき、透孔１１２を介してメカシャーシ２の下方側に進入される。この被係止爪８８は、透孔１１２内に進入されたとき、磁気ヘッド昇降スライダ９４が初期位置にある場合には、係止突起１１１の後方側に位置する。この被係止爪８８は、透孔１１２に進入されていて、磁気ヘッド昇降スライダ９４が後方側に移動されると、図１４に示すように、係止突起１１１に係止され、透孔１１２より抜け出して上方側への移動が阻止される。すなわち、カートリッジホルダ３は、メカシャーシ２側に回動された後、磁気ヘッド昇降スライダ９４が後方側にスライドされると、被係止爪８８を係止突起１１１により係止されて、メカシャーシ２より離間することが阻止される。
［９］メカシャーシを支持する構成
メカシャーシ２は、メインフレーム１に対して、上述したように、いわゆるフローティング支持されている。すなわち、メカシャーシ２は、図２２に示すように、メインフレーム１の内方側に向けて突設された４個の支持片１９０，１９１，１９２，１９３に対して、図３１に示すように、それぞれダンパ部材１４を介して、支持されている。
【００６６】
ダンパ部材１４は、図３２に示すように、メカシャーシ２の下面部より下方側に向けて植設された軸部３３０を有している。軸部３３０は、メカシャーシ２側である基端側（上端側）に第１のフランジ部３３１を有し、先端側（下端側）に第２のフランジ部３３２が取り付けられている。第２のフランジ部３３２は、中心部にネジ部を有しており、軸部３３０の先端部に螺入されて取り付けられている。各フランジ部３３１，３３２間には、ダンパ３３４が介在配設されている。ダンパ３３４は、ブチルゴム等の弾性材料によりほぼ円筒状に形成され、中心孔内に軸部３３０を挿通させ、上端部及び下端部をそれぞれ各フランジ部３３１，３３２に当接させている。このダンパ３３４は、外周面部にダンパ３３４を囲むようにして形成された係合溝を有し、この係合溝に各支持片１９０，１９１，１９２，１９３に穿設された支持孔１９４，１９５，１９６，１９７の内周縁部を係合させている。このダンパ３３４は、メインフレーム１より伝幡する振動を吸収し、振動がメカシャーシ２へ伝幡することを防止する。このダンパ部材１４は、ダンパ３３４にの外周側に巻装され、メカシャーシ２の下面部と各支持片部１９０，１９１，１９２，１９３の上面部との間に介在される圧縮コイルバネ３３３を有している。圧縮コイルバネ３３３は、弾発力によりメカシャーシ２を上方側に押圧支持する。
【００６７】
上蓋部を構成するカバー支持板４の下面部には、図３１に示すように、一対の板バネ６１，６２の基端側部分が、先端側を下方側に向けて突出させるようにして取り付けられている。カバー支持板４が、後述するように、閉蓋状態においてメインフレーム１に対して固定されたとき、メカシャーシ２及びカートリッジホルダ３は、各ダンパ部材１４，１４，１４，１４と、各板バネ６１，６２とにより、図３１中矢印ソ方向及び矢印セ方向の上下方向より挟持された状態で支持される。すなわち、メカシャーシ２の高さ位置は、各ダンパ部材１４の圧縮コイルバネ３３３の弾発力と、各板バネ６１，６２の弾発力及びメカシャーシ２の自重との釣合いの位置に規定される。
【００６８】
なお、外カバー５の内側部には、図２３に示すように、当接片１９８が突設されている。この当接片１９８は、この外カバー５がメインフレーム１に取り付けられたとき、メインフレーム１に設けられた透孔を介して、このメインフレーム１の内方側に進入する。この当接片１９８は、メカシャーシ２の上方側に位置し、メカシャーシ２の上方側への移動範囲を規制する。したがって、メカシャーシ２は、上蓋部が上方側に回動され開放位置に移動された状態においては、各ダンパ部材１４の圧縮コイルバネ３３３の弾発力により上方側に付勢され、当接片１９８に側縁部近傍が当接されることによって位置決めされている。
【００６９】
［１０］上蓋部の構成
上蓋部は、図９に示すように、カバー支持板４と、上カバー７とから構成されている。カバー支持板４は、金属の如き板材からなり、主板と、この主板の後端縁部に支軸５９を介して回動可能に取り付けられた取り付け板５８とを有している。取り付け板５８は、バッテリーケース８の後面部に対し、下カバー６とともに、いわゆる共締めによりネジ止めされている。このカバー支持板４の主板は、メカシャーシ２の上方側に、カートリッジホルダ３の上面を覆うようにして支持される。このカバー支持板４の主板は、カートリッジホルダ３の上面に対して接離する方向に回動可能となっている。上カバー７は、カバー支持板４の主板の上面にこの主板を覆うように取り付けられている。
【００７０】
カバー支持板４の主板の一側縁には、図９に示すように、リンク取り付け板５３が垂下されている。このリンク取り付け板５３には、第２のクリックストップリンク４５の後端側部分が、支軸４６を介して回動可能に取り付けられている。第２のクリックストップリンク４５の前端側部分は、支軸４８を介して、メインフレーム１の一側の上縁部に上方に向けて突設されたクリックストップ片５０の係合孔５１に係合されている。この係合孔５１は、長手方向を前後方向となした長孔として形成され、第２のクリックストップリンク４５の前端側を前後方向への移動及び回動を可能に支持している。この第２のクリックストップリンク４５の前端部近傍には、クリックストップ突起４９が突設されている。クリックストップ片５０の係合孔５１よりも前方側の位置には、クリックストップ孔５２が穿設されている。上蓋部がメカシャーシ２の上方側部分を閉塞しているときには、図９に示すように、クリックストップ突起４９は、クリックストップ孔５２よりも前方側に位置している。そして、上蓋部が、図９中矢印Ｂ方向に回動されて開蓋されると、第２のクリックストップリンク４５の前端側部分は、図９中矢印Ｃで示す方向の係合孔５１に沿って後方に移動しつつ支軸４８回りに回動され、クリックストップ突起４９をクリックストップ孔５２に係合させる。このとき、上蓋部は、開蓋状態に保持される。
【００７１】
上カバー７の前端縁部近傍の内側部分には、図２５及至図２７に示すように、被係止部材３０１が突設されている。この被係止部材３０１は、メインフレーム１の前面部に取り付けられたロックスライダ１１５により係止され、上蓋部を閉蓋状態に保持する。
【００７２】
ロックスライダ１１５は、長手方向に支持スリット１７７，１７８を有し、これら支持スリット１７７，１７８にメインフレーム１の前面部に植設された支持ピン１６３，１６４を挿通させて、メインフレーム１に対して側方に沿う方向の図２５中矢印Ｘ方向にスライド可能に支持されている。このロックスライダ１１５は、一端側に上方側に突出されたロック片１８１が設けられている。このロック片１８１の上端側部分は、他端側方向に屈折された鈎形状となされており、下方側に向いた係止部１８２を有している。このロックスライダ１１５は、図２６に示すように、上蓋部が閉蓋状態であるときに、係止部１８２を被係止部材３０１の上縁部に係合させ、上蓋部の開蓋を阻止する。このロックスライダ１１５は、各支持スリット１７７，１７８間にバネ配設孔１７９が設けられている。このロックスライダ１１５は、バネ配設孔１７９内に配設された圧縮コイルバネ１６８により、図２０中矢印Ｔで示す方向の他側方向に付勢されて、被係止部材３０１を係止し得る位置で位置決めされている。圧縮コイルバネ１６８は、一端側をバネ配設孔１７９の縁部のバネ係合片１８０に係合させ、他端側をメインフレーム１の前面部に形成されたバネ配設孔１５６の縁部のバネ係合片１５７に係合させている。
【００７３】
ロック片１８１は、上端部の他側部分が、上方側に向けて傾斜されたテーパ状とされており、図２５中矢印Ｗで示すように、上蓋部が閉蓋されるときには、被係止部材３０１によりこのテーパ状の部分を摺接されつつ押圧されて、ロックスライダ１１５を図２５中矢印Ｘで示す方向の一側方向に移動させる。上蓋部の閉蓋が完了すると、ロック片１８１は、係止部１８２が被係止部材３０１よりも上方側となるため、圧縮コイルバネ１６８の付勢力により、図２６中矢印Ｙで示す方向に移動され初期位置に復帰し、図２６に示すように、被係止部材３０１を係止する。
【００７４】
イジェクトスライダ１１６は、図２０に示すように、長手方向に支持スリット１７０，１７４を有し、これら支持スリット１７０，１７４にメインフレーム１の前面部に植設された支持ピン１６２，１６７を挿通させて、メインフレーム１に対して図２５中矢印Ｘ方向にスライド可能に支持されている。このイジェクトスライダ１１６は、ほぼ中央部に、ロックスライダ１１５に対応した開口部１７１を有し、ロックスライダ１１５に当接することがないように形成されている。この開口部１７１の他端側の縁部には、当接部１７６が設けられている。この当接部１７６は、ロックスライダ１１５の他端部に対向している。このイジェクトスライダ１１６は、開口部１７１と支持スリット１７４との間にバネ配設孔１７２が設けられている。このイジェクトスライダ１１６は、バネ配設孔１７２内に配設された圧縮コイルバネ１６９により、図２０中矢印Ｕで示す方向の他側方向に付勢されて、当接部１７６とロックスライダ１１５の他端部との間に空隙を形成し得る位置で位置決めされている。圧縮コイルバネ１６９は、図２０に示すように、一端側をバネ配設孔１７２の縁部のバネ係合片１７３に係合させ、他端側をメインフレーム１の前面部に形成されたバネ配設孔１５９の縁部のバネ係合片１６０に係合させている。
【００７５】
ロック片１８１の先端側の後面部には、図２５に示すように、検出ピン１８３が突設されている。そして、カバー支持板４の上面部の前端縁近傍には、伝達アーム６４及び蓋ロック検出スイッチ６０が取り付けられている。蓋ロック検出スイッチ６０は、押圧子を一側に向けて取り付けられている。伝達アーム６４は、一端側の被押圧部２００を被係止部材３０１の上方側に位置させ、他端側の押圧部１９９を蓋ロック検出スイッチ６０の押圧子に臨ませている。ロック片１８１が被係止部材３０１を係止した状態においては、図２６に示すように、検出ピン１８３が伝達アーム６４の被押圧部２００を押圧し、この伝達アーム６４は、押圧部１９９により、蓋ロック検出スイッチ６０の押圧子を押圧操作する。そして、図２５に示すように、上蓋部の閉蓋が完了していないときや、図２７に示すように、この上蓋部が閉蓋されていてもロックスライダ１１５が圧縮コイルバネ１６８の付勢力に抗してスライドされているときには、蓋ロック検出スイッチ６０は、押圧操作されない。すなわち、蓋ロック検出スイッチ６０が押圧操作されていることを検出することにより、上蓋部が閉蓋され、且つ、被係止部材３０１がロックスライダ１１５により係止されていることを検出することができる。この蓋ロック検出スイッチ６０は、図３６に示すように、スイッチ（Ｂ）として、ＣＰＵ３３８に接続されている。
【００７６】
そして、磁気ヘッド昇降スライダ９４の前端側には、図１５及至図１７に示すように、イジェクト伝達部材９５が取り付けられている。このイジェクト伝達部材９５は、前側及び後側の取り付け孔１０３，１０２を有し、磁気ヘッド昇降スライダ９４に植設された前側及び後側の支持ピン１０１，１００をこれら取り付け孔１０３，１０２にそれぞれ挿通させ、この磁気ヘッド昇降スライダ９４に取り付けられている。前側取り付け孔１０３は、前後方向及び側方方向について前側支持ピン１０１の太さよりも大きい。後側取り付け孔１０２は、前後方向を長手方向とする長穴として形成され、側方方向については後側支持ピン１００の太さとほぼ等しく形成されている。すなわち、イジェクト伝達部材９５は、磁気ヘッド昇降スライダ９４に対して、後端側を中心として図１５中矢印Ｈ方向に回動可能であるとともに、図１５中矢印Ｊで示す方向の前後方向にスライド可能となされている。このイジェクト伝達部材９５は、前方側の一側に突設されたバネ係止片１０６と磁気ヘッド昇降スライダ９４の前端側の一側に突設されたバネ係止片１０４との間に張架されたリミッタ機構を構成する引っ張りコイルバネ１０５により、初期位置に位置決めされている。このイジェクト伝達部材９５の初期位置は、磁気ヘッド昇降スライダ９４に対して前方側にスライドされ、また、前端側を図１５中反矢印Ｈ方向の他側方向に回動させた位置である。
【００７７】
イジェクト伝達部材９５の前端側には、イジェクト伝達片１１３が突設されている。このイジェクト伝達片１１３は、磁気ヘッド昇降スライダ９４が前方側にスライドされ磁気ヘッド１３が上方位置に保持されているときには、メカシャーシ２の前縁側に設けられた透孔及びメインフレーム１の前面部に設けられた透孔１５４を介して、メインフレーム１の前面部よりも前方側に突出されている。このとき、イジェクト伝達部材９５は、伝達位置とにあり、イジェクト伝達片１１３を、図１５に示すように、ロックスライダ１１５の他端部とイジェクトスライダ１１６の当接部１７６との間に進入させている。このとき、イジェクトノブ１７が操作されて、イジェクトスライダ１１６が圧縮コイルバネ１６９の付勢力に抗して図１５中矢印Ｇ方向の一側方向にスライドされると、イジェクト伝達片１１３が、図１５中矢印Ｈで示す方向の一側方向に回動されるとともに、ロックスライダ１１５が、図１５中矢印Ｉで示す方向の一側方向にスライドされ、このロックスライダ１１５は、被係止部材３０１に対する係止を解除する。
【００７８】
そして、磁気ヘッド昇降スライダ９４が、図１６及び図１７に示すように、後方側にスライドされると、イジェクト伝達部材９５は、伝達解除位置となされ、イジェクト伝達片１１３を、ロックスライダ１１５の他端部とイジェクトスライダ１１６の当接部１７６との間より後方側に退出させる。この場合には、イジェクトノブ１７が操作されてイジェクトスライダ１１６が一側方向にスライドされても、当接部１７６がイジェクト伝達片１１３に当接しないため、イジェクト伝達片１１３が回動されず、ロックスライダ１１５は、スライドされることがなく、被係止部材３０１に対する係止を解除することがない。
【００７９】
なお、磁気ヘッド昇降スライダ９４は、再生モードにおいては、図１６に示すように、イジェクト伝達片１１３をロックスライダ１１５及び当接部１７６間より退出させているが磁気ヘッド１３を上方側に保持している第１の位置に位置させている。この磁気ヘッド昇降スライダは、記録モードにおいては、図１７に示すように、上記イジェクト伝達片１１３をロックスライダ１１５及び当接部１７６間より退出させるとともに磁気ヘッド１３を下方側に回動させている第２の位置に移動させている。
【００８０】
また、磁気ヘッド昇降スライダ９４が後方側に移動されているときに、イジェクトスライダ１１６がスライドされ、このままの状態で磁気ヘッド昇降スライダ９４が前方側に移動されると、イジェクト伝達片１１３がイジェクトスライダ１１６に当接する。この場合には、イジェクト伝達部材９５は、磁気ヘッド昇降スライダ９４が前方側に移動されても、引っ張りコイルバネ１０５を変位させつつ、イジェクト伝達片１１３をイジェクトスライダ１１６に当接させた位置に留まる。イジェクト伝達部材９５は、イジェクトスライダ１１６が初期位置に復帰されたときに、イジェクト伝達片１１３をロックスライダ１１５の他端部とイジェクトスライダの当接部１７６との間に進入させて、磁気ヘッド昇降スライダ９４に対する初期位置に復帰する。
【００８１】
ところで、カバー支持板４の両側縁部には、図１０に示すように、それぞれ、カートリッジ吊り下げ爪５５，５６が下方側に垂下するように形成されている。カバー支持板４の一方の側に設けたカートリッジ吊り下げ爪５６は、図１１に示すように、カバー支持板４に一体的に形成され、後方側に屈曲された鈎形状に形成されている。このカートリッジ吊り下げ爪５６の鈎状の屈曲部の上縁部は、吊り下げ部５８となされている。そして、他方の側に設けたカートリッジ吊り下げ爪５５は、図１１に示すように、図中上方側の基端側部分６６がカバー支持板４に対し回動可能に取り付けられており、先端側（下端側）が後方側に屈曲された鈎形状に形成されている。このカートリッジ吊り下げ爪５５の鈎状の屈曲部の上縁部は、吊り下げ部５７となされている。これら吊り下げ爪５５，５６は、各吊り下げ部５７，５８を、カートリッジホルダ３の両側部に側方側に向かって突設された係合片１１８，１２０に係合させている。これら吊り下げ爪５５，５６は、上蓋部が開蓋されたときには、図１２に示すように、カートリッジホルダ３を吊り下げ、カートリッジホルダ３をメカシャーシ２の上方側に回動させる。このとき、カートリッジホルダ３は、メカシャーシ２の上面部より離間されるとともに、前方部を上カバー７の前縁部の下方側となして前方側に臨ませている。このとき、カバー支持板４及びカートリッジホルダ３は、それぞれ各クリックストップリンク２４，４５により回動された位置にて保持されている。
【００８２】
他方の側に設けた吊り下げ爪５５は、図１１及び図３３及至図３５に示すように、基端側部分６６がカバー支持板４の下面部に沿うように屈曲され、この基端側部分６６をカバー支持板４に対して支軸６５を介して回動可能に支持されている。この支軸６５は、カバー支持板４の主面部に垂直に設けられ、吊り下げ片５５の前縁側に位置している。したがって、吊り下げ片５５は、後縁側を外方側に移動させるように、図１０及び図３３中矢印Ｆ方向に回動可能となされている。吊り下げ爪５５は、この吊り下げ爪５５のカバー支持板４に沿わされた基端側部分６６に設けられたバネ係止部６８とカバー支持板４に設けられたバネ係止部６９との間に張架された引っ張りコイルバネ６７により、図３３中矢印Ｄで示すように、後縁部を内方側となす方向に回動付勢されている。
【００８３】
なお、引っ張りコイルバネ３７は、カバー支持板４に形成した切り欠き穴３３５内に配設されている。
【００８４】
吊り下げ爪５５は、カバー支持板４に設けられた当接突起７０に、基端側部分６６を当接させて、初期位置に位置決めされている。なお、吊り下げ爪５５の基端側部分６６は、図３３に示すように、支軸６５を中心とした扇型に形成されており、後縁部を支持片３３７により摺動可能に支持されている。
【００８５】
このように回動可能に支持された吊り下げ片５５は、装置本体を構成する筐体の外部から加えられる振動や衝撃によりダンパ部材１４が変形して、メカシャーシ２及びカートリッジホルダ３が、メインフレーム１に対して移動したとき、このカートリッジホルダ３に当接され、外方側に弾性的に回動され得る。したがって、吊り下げ爪５５は、カートリッジホルダ３に接近又は接触されていても、カートリッジホルダ３の振動による移動を阻害することがない。なお、メインフレーム１の他側部には、吊り下げ爪５５の回動範囲を確保するための外方側に膨出形成された屈曲部３３６が設けられている。
【００８６】
この記録再生装置においては、吊り下げ爪５５が回動可能となっているため、メカシャーシ２及びカートリッジホルダ３のダンパ部材１４の変形による振動吸収のための移動可能範囲を充分に確保しつつ、装置自体の小型化を図ることができる。すなわち、カートリッジホルダ３の移動可能範囲として、０．８ｍｍを確保しようとすると、吊り下げ爪５５がカバー支持板４に対して固定されている場合には、カートリッジホルダ３の側面部と吊り下げ爪５５との間に０．８ｍｍの空隙が必要であり、この吊り下げ爪５５に係合する係合片１１８の先端部と上カバー７の内壁部との間にも０．８ｍｍの空隙が必要となるので、カートリッジホルダ３の側面部と上カバー７の内壁部との間には、少なくとも、１．６ｍｍと該吊り下げ爪５５の厚み分を合わせた距離の空隙が必要となる。ところが、この記録再生装置では、カートリッジホルダ３の移動可能範囲として、０．８ｍｍを確保しようとしたとき、吊り下げ爪５５がカバー支持板４に対して移動可能なので、図３４に示すように、この吊り下げ爪５５に係合する係合片１１８の先端部と上カバー７の内壁部との間には０．８ｍｍの空隙が必要であるが、カートリッジホルダ３の側面部と吊り下げ爪５５との間には殆ど空隙が不要であり、カートリッジホルダ３の側面部と上カバー７の内壁部との間の空隙は、略々０．８ｍｍに吊り下げ爪５５の厚み分を加えた距離で足りる。但し、この実施例に示す記録再生装置では、カートリッジホルダ３の移動可能範囲が０．８ｍｍであって、カートリッジホルダ３の側面部と吊り下げ爪５５との間には、０．４ｍｍ程度の空隙を設けている。
【００８７】
なお、吊り下げ爪５５，５６は、片側のみがカバー支持板４に対して回動可能となっているが、双方を同様の構成となして、それぞれ該カバー支持板４に対して回動可能となるようにしてもよい。
【００８８】
［１１］停止モードにおける状態
上述のように構成された記録再生装置において、停止モードであって、且つ記ディスクカートリッジ２２０，２２１が装着されていないときには、磁気ヘッド昇降スライダ９４は、図１５に示すように、前方側の初期位置にある。このとき、イジェクトノブ１７を操作すると、ロックスライダ１１５がスライドされ、上蓋部の被係止部材３０１に対するロック片１８１による係止が解除される。
【００８９】
このときには、カートリッジ装着検出スイッチ７２が押圧操作されていないため、ＣＰＵ３３８は、キー入力部１５に対する操作があっても、ディスク駆動部３３９を駆動させない。
【００９０】
すなわち、ＣＰＵ３３８は、図３７のフローチャートに示すように、ステップｓｔ１において電源投入されてスタートされると、ステップｓｔ２においてキー入力部１５に対する入力操作があったか否かを判別する。キー入力部１５に対する入力操作があったならばステップｓｔ３に進み、キー入力部１５に対する入力操作がないならばステップｓｔ６に進んでリターンする。ステップｓｔ３においては、カートリッジ装着検出スイッチ（スイッチ（Ａ））７２が操作されているかを判別する。カートリッジ装着検出スイッチ７２が操作されていればステップｓｔ４に進み、カートリッジ装着検出スイッチ７２が操作されていなければステップｓｔ６に進んでリターンする。ステップｓｔ４においては、蓋ロック検出スイッチ（スイッチ（Ｂ））６０が操作されているかを判別する。蓋ロック検出スイッチ６０が操作されていればステップｓｔ５に進み、蓋ロック検出スイッチ６０が操作されていなければステップｓｔ６に進んでリターンする。ステップｓｔ５においては、ＣＰＵ３３８は、キー入力部１５に対する操作に応じて、ディスク駆動部３３９を駆動制御する。
【００９１】
［１２］ディスクカートリッジの装着
この記録再生装置にディスクカートリッジ２２０，２２１を装着するには、上述のようにイジェクトノブ１７を操作した後、図１２に示すように、上蓋部を上方側に回動させて開蓋する。そして、カートリッジホルダ３に対して、前方側より、ディスクカートリッジ２２０，２２１を前縁側より挿入する。すると、シャッタ部材２０６，２１７が各開口部２２２，２２３を開放する方向に移動される。そして、上蓋部を下方側に回動させて閉蓋すると、ディスクカートリッジ２２０，２２１は、図１３に示すように、メカシャーシ２上に位置決めされて装着される。このとき、カートリッジ装着検出スイッチ７２が押圧操作される。また、上蓋部がロックスライダ１１５により係止されることにより、蓋ロック検出スイッチ６０が押圧操作される。この状態において、ＣＰＵ３３８は、キー入力部１５に入力があればその入力に応じてディスク駆動部３３９を駆動制御する状態となっている。
【００９２】
［１３］再生モードにおける状態
ディスクカートリッジ２２０，２２１が装着され上蓋部が閉蓋されて係止されている状態において、キー入力部１５により再生モードを開始すべき指示がなされると、ＣＰＵ３３８は、ステッピングモータ８５を駆動制御し、磁気ヘッド昇降スライダ９４を、図１６中矢印Ｎで示す方向の後方側に移動させ、図１６に示すように、イジェクト伝達片１１３がロックスライダ１１５よりも後方側に移動され、磁気ヘッド１３は上方側に保持される第１の位置に移動される。
【００９３】
この状態において、光磁気ディスク又は光ディスクがスピンドルモータ８９により回転操作され、光学ピックアップ１０が作動して光磁気ディスク又は光ディスクより情報信号の読み出しを行われて、再生モードが実行される。このとき、各トラックジャンプ釦３０，３１、又は一時停止釦３２を操作することにより、所為の方向へのトラックジャンプ、又は一時停止動作を実行することができる。再生モードの実行中においては、イジェクトスライダ１１６を一側にスライド操作しても、イジェクト伝達片１１３が後方側に退出しているため、ロックスライダ１１５がスライドされることがなく、上蓋部に対する係止が解除されることがない。停止釦２９を操作して停止モードとすると、磁気ヘッド昇降スライダ９４が前方側の初期位置に復帰され、イジェクトスライダ１１６のスライドによって上蓋部に対するロックスライダ１１６による係止の解除が行える状態となる。
【００９４】
［１４］記録モードにおける状態
情報信号の記録を可能とした光磁気ディスクを収納したディスクカートリッジ２２０が装着され上蓋部が閉蓋されて係止されている状態において、キー入力部１５により記録モードを開始すべき指示がなされると、ＣＰＵ３３８は、ステッピングモータ８５を駆動制御し、磁気ヘッド昇降スライダ９４を、図１７中矢印Ｏで示す方向の後方側に移動させ、図１７に示すように、イジェクト伝達片１１３がロックスライダ１１５よりも後方側に移動され、磁気ヘッド１３が下方側に位置する第２の位置に移動される。
【００９５】
この状態において、光磁気ディスクがスピンドルモータ８９により回転操作され、光学ピックアップ１０及び磁気ヘッド１３が作動して光磁気ディスクに対する情報信号の書き込みが行われて、記録モードが実行される。磁気ヘッド１３は、光磁気ディスクに摺接される。このとき、一時停止釦２９を操作することにより、一時停止動作を実行することができる。この記録モードの実行中においては、イジェクトスライダ１１６を一側方向にスライド操作しても、イジェクト伝達片１１３が後方側に退出しているため、ロックスライダ１１５がスライドされることがなく、上蓋部に対する係止が解除されることがない。停止釦２９を操作して停止モードとすると、それまで書き込みを行っていた情報信号についてのアドレス等を示す目録情報（いわゆるユーザーズトック：Ｕ−ＴＯＣ）の書き込みが行われ、この目録情報の書き込み完了後に、磁気ヘッド昇降スライダ９４が前方側の初期位置に復帰される。磁気ヘッド昇降スライダ９４の初期位置への復帰によって、イジェクトスライダ１１６のスライドによって上蓋部に対するロックスライダ１１６による係止の解除が行える状態となる。
【００９６】
なお、再生専用ディスクカートリッジ２２１、又はセーブノッチ２１４が移動操作されて情報信号の書き込み禁止となされた記録再生型のディスクカートリッジ２２０が装着された状態において、キー入力部１５により記録モードを開始すべき指示がなされても、ＣＰＵ３３８は、識別用穴２２４によって装着されているディスクカートリッジ２２０，２２１が情報信号の記録が不可能なものであることを判別しているため記録モードを実行しない。
【００９７】
［１５］ディスクカートリッジの取り出し
上述のように、再生モードの実行後の停止モード、記録モードの実行後の目録情報の書き込み完了後の停止モード、又は未だ記録も再生も行われていない状態における停止モードにおいては、記録再生装置に装着されているディスクカートリッジ２２０，２２１を取り出すことができる。
【００９８】
すなわち、このとき、イジェクトノブ１７を操作してイジェクトスライダ１１６を一側の方向にスライドさせると、ロックスライダ１１５による上蓋部に対する係止が解除され、上蓋部は、上方側に回動されて開蓋可能となる。このように上蓋部に対する係止を解除して、上蓋部を上方側に回動させて開蓋させると、図１２に示すように、カートリッジホルダ３が上方側に回動されてメカシャーシ２より離間する。すると、ディスクカートリッジ２２０，２２１は、メカシャーシ２上より上方側に持ち上げられるとともに、カートリッジ排出レバー３０２によってカートリッジホルダ３の前方側に押し出される。このとき、ディスクカートリッジ２２０，２２１は、後方側部分をカートリッジホルダ３より突出させるので、カートリッジホルダ３からの取り出しが可能となる。カートリッジホルダ３より抜き取られたディスクカートリッジ２２０，２２１においては、シャッタ部材２０６，２１７は、シャッタ閉蓋バネ１３５により閉蓋状態となされている。
【００９９】
【発明の効果】
上述したように、本発明は、上蓋部が完全に閉蓋が完了していないときや上蓋部が閉蓋状態にあってもロック部材によって蓋ロック検出スイッチが操作されていない状態では完全にロック部材と被ロック部との係合が正確に行われていない状態にあると判別することができ、ロック部材によって蓋ロック検出スイッチが操作されている状態ではロック部材と被ロック部との係合が正確に行われている状態にあると判別することができ、また、装着検出スイッチが操作されていない状態では記録ディスクが記録及び／又は再生部に装着する位置にされてない状態にあると判別することができ、装着検出スイッチが操作されている状態では記録ディスクが記録及び／又は再生部に装着する位置にされた状態にあると判別することができ、蓋ロック検出スイッチがロック部材によって操作されていない状態又は装着検出スイッチが操作されていない状態での記録及び／又は再生部の作動が開始されてしまうことを禁止し、蓋ロック検出スイッチがロック部材によって操作されている状態及び装着検出スイッチが操作されている状態での記録及び／又は再生部の作動を開始させるとともに、記録及び／又は再生部を作動させているときには、ロック部材の移動を阻止することにより上蓋部の開蓋動作を行わせないようにするので、正確な情報信号の記録を可能とし、確実な情報信号の再生を行うことができ、更に、構成の複雑化や消費電力の増大を招くことなく、情報信号の記録若しくは再生動作中に記録媒体の取り出しを確実に防止できる。
【図面の簡単な説明】
【図１】本発明を適用して構成された記録再生装置の外観を示す斜視図である。
【図２】上記記録再生装置を示す平面図である。
【図３】上記記録再生装置を示す正面図である。
【図４】上記記録再生装置を示す左側面図である。
【図５】上記記録再生装置を示す背面図である。
【図６】上記記録再生装置を示す右側面図である。
【図７】上記記録再生装置を示す底面図である。
【図８】上記記録再生装置を示す小分解斜視図である。
【図９】上記記録再生装置を構成する筐体を示す右側面図である。
【図１０】上記記録再生装置のカバー支持板を示す底面図である。
【図１１】上記記録再生装置のカバー支持板を示す左側面図である。
【図１２】上記記録再生装置のイジェクト状態における内部の構成を示す左側面図である。
【図１３】上記記録再生装置の停止モードにおける内部の構成を示す左側面図である。
【図１４】上記記録再生装置の録音モードにおける内部の構成を示す左側面図である。
【図１５】上記記録再生装置の停止モードにおけるメカシャーシ上の構成を透視して示す平面図である。
【図１６】上記記録再生装置の再生モードにおけるメカシャーシ上の構成を透視して示す平面図である。
【図１７】上記記録再生装置の記録モードにおけるメカシャーシ上の構成を透視して示す平面図である。
【図１８】上記記録再生装置のカートリッジホルダの停止モード及び再生モードにおける構成を示す平面図である。
【図１９】上記記録再生装置のカートリッジホルダの記録モードにおける構成を示す平面図である。
【図２０】上記記録再生装置の上蓋部を係止するための構成を示す要部拡大分解斜視図である。
【図２１】上記記録再生装置の上蓋部を係止するための構成を示す正面図である。
【図２２】上記記録再生装置のメインフレームの構成を示す平面図である。
【図２３】上記記録再生装置の外カバーの構成を示す平面図である。
【図２４】上記記録再生装置の外カバーの構成を示す正面図である。
【図２５】上記記録再生装置の上蓋部が閉蓋途中の状態を示す要部正面図である。
【図２６】上記記録再生装置の上蓋部が閉蓋された状態を示す要部正面図である。
【図２７】上記記録再生装置の上蓋部に対する係止が解除された状態を示す要部正面図である。
【図２８】上記記録再生装置のカートリッジ排出機構の構成を示す要部拡大斜視図である。
【図２９】上記記録再生装置におけるメカシャーシとカートリッジホルダとの取り付け状態を示す要部右側面図である。
【図３０】上記記録再生装置においてカートリッジホルダがメカシャーシの側に回動されている状態を示す要部右側面図である。
【図３１】上記記録再生装置におけるメカシャーシの支持構造を示す縦断面図である。
【図３２】上記記録再生装置に用いられるダンパ部材を示す縦断面図である。
【図３３】上記記録再生装置のカートリッジホルダを吊り下げる部材を示す平面図である。
【図３４】上記記録再生装置のカートリッジホルダを吊り下げる部材を示す正面図である。
【図３５】上記記録再生装置のカートリッジホルダを吊り下げる部材を示す側面図である。
【図３６】上記記録再生装置の電子回路部の構成を示すブロック図である。
【図３７】上記記録再生装置のＣＰＵの動作を示すフローチャートである。
【図３８】上記記録再生装置において使用される光磁気ディスクを収納した記録再生用のディスクカートリッジを上面側より臨んだ斜視図である。
【図３９】上記記録再生装置において使用される再生専用型のディスクカートリッジを上面側より臨んだ斜視図である。
【図４０】上記記録再生装置において使用される記録再生用型のディスクカートリッジを下面側より臨んだ斜視図である。
【図４１】上記記録再生装置において使用される再生専用型のディスクカートリッジを下面側より臨んだ斜視図である。
【符号の説明】
２  メカシャーシ、  ３  カートリッジホルダ、  １３  磁気ヘッド、  ２０２０  磁気ヘッド昇降板、  ２５  蓋部、  ４９  磁気ヘッド昇降スライダ、６０  蓋ロック検出スイッチ、  ７２  カートリッジ装着検出スイッチ、  ８５  ステッピングモータ、  ９５  イジェクト伝達部材、  １１１  係止突起、１１３  イジェクト伝達片、  １１５  ロックスライダ、  １１６  イジェクトスライダ、  １８６  録音スライダ、  ２２２，２２１  ディスクカートリッジ、  ３３９  ディスク駆動部
【図１】
0003799068.tif 000002
【図２】
0003799068.tif 000003
【図３】
0003799068.tif 000004
【図４】
0003799068.tif 000005
【図５】
0003799068.tif 000006
【図６】
0003799068.tif 000007
【図７】
0003799068.tif 000008
【図８】
0003799068.tif 000009
【図９】
0003799068.tif 000010
【図１０】
0003799068.tif 000011
【図１１】
0003799068.tif 000012
【図１２】
0003799068.tif 000013
【図１３】
0003799068.tif 000014
【図１４】
0003799068.tif 000015
【図１５】
0003799068.tif 000016
【図１６】
0003799068.tif 000017
【図１７】
0003799068.tif 000018
【図１８】
0003799068.tif 000019
【図１９】
0003799068.tif 000020
【図２０】
0003799068.tif 000021
【図２１】
0003799068.tif 000022
【図２２】
0003799068.tif 000023
【図２３】
0003799068.tif 000024
【図２４】
0003799068.tif 000025
【図２５】
0003799068.tif 000026
【図２６】
0003799068.tif 000027
【図２７】
0003799068.tif 000028
【図２８】
0003799068.tif 000029
【図２９】
0003799068.tif 000030
【図３０】
0003799068.tif 000031
【図３１】
0003799068.tif 000032
【図３２】
0003799068.tif 000033
【図３３】
0003799068.tif 000034
【図３４】
0003799068.tif 000035
【図３５】
0003799068.tif 000036
【図３６】
0003799068.tif 000037
【図３７】
0003799068.tif 000038
【図３８】
0003799068.tif 000039
【図３９】
0003799068.tif 000040
【図４０】
0003799068.tif 000041
【図４１】
0003799068.tif 000042